(57)【要約】【課題】入球口への入球確率の調整や検査の手間を抑えつつ、遊技者により該入球口の位置を変更させることが可能となる弾球遊技機を提供する。【解決手段】パチンコ機の遊技盤８におけるセンターケース２８の下方には、遊技領域２６に水平方向に形成されたスロット１２０と、該スロット１２０を挿通する支持部材により支持され、該支持部材が水平方向に移動することで、該スロット１２０に沿って移動する移動可能始動口１１０が設けられている。移動可能始動口１１０は、いわゆるチャッカーとして構成されており、スロット１２０の右端或いは左端に配置され、遊技が行われていない期間に遊技者により位置決め用ボタンが押されると、スロット１２０における一方の端部から他方の端部に移動する。【選択図】図２
2012075718.tif 000002
【特許請求の範囲】
【請求項１】
遊技者からの指示に応じて遊技球を遊技盤に発射させると共に、遊技盤に設けられた入球口への該遊技球の入球に基づき遊技者に賞球を付与する遊技を行うための弾球遊技機であって、
遊技者の操作を受け付ける受付手段と、
遊技盤に設けられた移動区間を移動可能に構成され、該移動区間に設けられた複数の配置位置のうちのいずれかに配置される移動可能入球口と、
前記遊技が行われていない場合に、前記受付手段を介して受け付けた操作に応じて、前記移動可能入球口に前記移動区間上を移動させ、いずれかの前記配置位置に配置させる移動手段と、
を備えることを特徴とする弾球遊技機。
【請求項２】
請求項１に記載の弾球遊技機において、
前記配置位置に配置された前記移動可能入球口への遊技球の入球確率を調整するための、遊技盤に植設された少なくとも二本の遊技釘からなる調整手段をさらに備え、
前記調整手段は、それぞれの前記配置位置の上方に配置されていること、
を特徴とする弾球遊技機。
【請求項３】
請求項２に記載の弾球遊技機において、
それぞれの前記調整手段は、互いに少なくとも遊技球二個分の間隔を空けて設けられていること、
を特徴とする弾球遊技機。
【請求項４】
請求項１から請求項３のうちのいずれか１項に記載の弾球遊技機において、
前記弾球遊技機は、前記遊技として、始動口への遊技球の入球に起因して抽選を行い、該抽選での当選により遊技者に予め定められた遊技価値を付与し、
前記移動可能入球口は、前記始動口として構成されていること、
を特徴とする弾球遊技機。
【請求項５】
請求項１から請求項４のうちのいずれか１項に記載の弾球遊技機において、
前記移動可能入球口は、普通電動役物として構成されていること、
を特徴とする弾球遊技機。
【請求項６】
請求項５に記載の弾球遊技機において、
それぞれの前記調整手段は、互いに少なくとも遊技球五個分の間隔を空けて設けられていること、
を特徴とする弾球遊技機。
【発明の詳細な説明】
【技術分野】
【０００１】
本発明は、弾球遊技機に関する。
【背景技術】
【０００２】
弾球遊技機の遊技盤には、遊技球の進路を割り振る風車や、普通図柄抽選を行うためのゲート等が設けられていると共に、大当り抽選を行うための始動口や、普通図柄抽選や大当り抽選での当選等により開放される普通電動役物等といった入球口が設けられており、遊技球の入球口への入球に基づいて遊技が進行される。また、遊技盤に発射された遊技球の流れは、遊技盤に植設された遊技釘や風車の位置や傾き等により制御される。この遊技釘や風車等の位置や傾きは、遊技により得られる賞球数を一定の基準内に抑えるよう調整されている。
【０００３】
ここで、特許文献１には、入球口，ゲート，風車を、それぞれ、遊技盤上に個別に設けられた移動区間上に配置し、遊技者の操作に応じてこれらの位置を各移動区間内で自由に変えることができる弾球遊技機が記載されている。このような弾球遊技機によれば、遊技者の好みに合わせて入球口等の位置を自由に配置することができ、遊技の興趣を高めることができる。
【先行技術文献】
【特許文献】
【０００４】
【特許文献１】特開２００２−３５５３８５号公報
【発明の概要】
【発明が解決しようとする課題】
【０００５】
しかしながら、遊技により得られる賞球数を一定の基準内に抑えるためには、遊技球の入球口への入球確率を一定の範囲内に調整する必要がある。これに対し、特許文献１に記載の弾球遊技機によれば、遊技者の操作により入球口，ゲート，風車が各移動区間内で移動すると、入球口等と遊技釘との位置関係が変化し、入球口への入球確率が変化してしまう。そして、入球口等の配置パターンは膨大な数にのぼるため、入球口への入球確率の調整や入球確率がどの程度であるかの検査は、極めて困難なものとなってしまう。
【０００６】
また、遊技者に限らず、弾球遊技機が設置されるパチンコ店の店員が入球口等の位置を変える場合であっても、同様の問題が生じる。
本願発明は上記課題に鑑みてなされたものであり、入球口への入球確率の調整や検査の手間を抑えつつ、遊技者やパチンコ店の店員により該入球口の位置を変更させることが可能となる弾球遊技機を提供することを目的とする。
【課題を解決するための手段】
【０００７】
上記課題に鑑みてなされた請求項１に記載の発明は、遊技者からの指示に応じて遊技球を遊技盤に発射させると共に、遊技盤に設けられた入球口への該遊技球の入球に基づき遊技者に賞球を付与する遊技を行うための弾球遊技機に関するものである。この弾球遊技機は、遊技者の操作を受け付ける受付手段と、遊技盤に設けられた移動区間を移動可能に構成され、該移動区間に設けられた複数の配置位置のうちのいずれかに配置される移動可能入球口と、遊技が行われていない場合に、受付手段を介して受け付けた操作に応じて、移動可能入球口に移動区間上を移動させ、いずれかの配置位置に配置させる移動手段と、を備えることを特徴とする。
【０００８】
こうすることにより、遊技者やパチンコ店の店員の操作に応じて、移動可能入球口を移動区間上の配置位置のうちのいずれかに配置することができる。このため、１台の弾球遊技機で、入球口の位置が異なる複数の弾球遊技機での遊技を行うことが可能となり、遊技のバリエーションを増やすことができる。
【０００９】
また、遊技が行われていない場合に限り、移動可能入球口をいずれかの配置位置に変更可能となっているため、遊技が行われている間は、移動可能入球口は必ずいずれかの配置位置に配置され、また、移動可能入球口が移動区間を移動している最中に、当該移動可能入球口に遊技球が入球することは無い。このため、移動可能入球口が移動区間内で自由に配置可能である場合に比べ、移動可能入球口の配置パターンの数を大幅に減らすことができ、移動可能入球口への入球確率の調整や検査の手間を抑えることができる。
【００１０】
したがって、請求項１に記載の弾球遊技機によれば、移動可能入球口への入球確率の調整や検査の手間を抑えつつ、遊技者やパチンコ店の店員により該移動可能入球口の位置を変更させることが可能となる。
【００１１】
なお、次のようにして、入球口の入球確率が調整されていても良い。
すなわち、請求項２に記載されているように、配置位置に配置された移動可能入球口への遊技球の入球確率を調整するための、遊技盤に植設された少なくとも二本の遊技釘からなる調整手段をさらに備え、調整手段は、それぞれの配置位置の上方に配置されていても良い。
【００１２】
こうすることにより、各調整手段を構成する遊技釘の位置や傾きを調整することで、各配置位置に移動可能入球口が配置された際のおよその入球確率を調整することができる。このため、各配置位置に配置された移動可能入球口の入球確率の調整が容易となる。
【００１３】
また、各調整手段の位置が接近し過ぎていると、ある調整手段が、他の調整手段に対応する配置位置に配置された移動可能入球口への入球確率に影響を及ぼしてしまうおそれがある。
【００１４】
そこで、請求項３に記載の弾球遊技機では、それぞれの調整手段は、互いに少なくとも遊技球二個分の間隔を空けて設けられている。
こうすることにより、ある調整手段が、他の調整手段に対応する配置位置に配置された移動可能入球口への入球確率に影響を与えてしまうことを防ぐことができ、各配置位置に配置された移動可能入球口の入球確率の調整が容易となる。
【００１５】
また、請求項４に記載されているように、弾球遊技機は、遊技として、始動口への遊技球の入球に起因して抽選を行い、該抽選での当選により遊技者に予め定められた遊技価値を付与し、移動可能入球口は、始動口として構成されていても良い。
【００１６】
こうすることにより、１台の弾球遊技機で、始動口の位置が異なる複数の弾球遊技機での遊技を行うことが可能となり、遊技のバリエーションを増やすことができる。
また、請求項５に記載されているように、移動可能入球口は、普通電動役物として構成されていても良く、このような場合にも、遊技のバリエーションを増やすことができる。
【００１７】
ここで、移動可能入球口が普通電動役物として構成されている場合には、羽根が開放された場合を考慮して各調整手段の間隔を十分に確保しておかないと、ある調整手段が、他の調整手段に対応する配置位置に配置された移動可能入球口への入球確率に影響を及ぼしてしまうおそれがある。
【００１８】
そこで、請求項６に記載の弾球遊技機では、それぞれの調整手段は、互いに少なくとも遊技球五個分の間隔を空けて設けられている。
こうすることにより、移動可能入球口の羽根が開放された場合であっても、ある調整手段が、他の調整手段に対応する配置位置に配置された移動可能入球口への入球確率に影響を与えてしまうことを防ぐことができる。このため、移動可能入球口が普通電動役物として構成されている場合であっても、各配置位置に移動可能入球口が配置された場合における入球確率の調整が容易となる。
【図面の簡単な説明】
【００１９】
【図１】第一実施形態のパチンコ機の正面図である。
【図２】第一実施形態の遊技盤の正面図である。
【図３】第一実施形態のパチンコ機の電気的構成を示すブロック図である。
【図４】第一実施形態の始動口領域の構成を示す説明図と、始動口移動処理についてのフローチャートである。
【図５】第二実施形態の遊技盤の正面図である。
【図６】第二実施形態の始動口領域の構成を示す説明図である。
【発明を実施するための形態】
【００２０】
以下、本発明の実施形態について図面を用いて説明する。なお、本発明の実施の形態は、下記の実施形態に何ら限定されることはなく、本発明の技術的範囲に属する限り種々の形態を採りうる。
【００２１】
［第一実施形態］
［構成の説明］
（１）全体の構成について
図１に示すように、弾球遊技機の一種であるパチンコ機１は、縦長の固定外郭保持枠をなす外枠２１にて構成の各部を保持する構造を有する。
【００２２】
外枠２１の左側上下には、ヒンジ５ｂが設けられており、該ヒンジ５ｂの他方側には内枠３が取り付けられており、内枠３は外枠２１に対して開閉可能な構成になっている。
前枠５ｃには、板ガラス９が取り外し自在に設けられており、板ガラス９の奥には図２ に記載する遊技盤８が内枠３に取り付けられている。
【００２３】
前枠５ｃの上側左右には、スピーカ１１が設けられており、パチンコ機１から発生する遊技音が出力され、遊技者の趣向性を向上させる。また、遊技者の趣向性を向上させるために前枠５ｃに遊技状態に応じて発光する枠側装飾ランプも複数設けられている。
【００２４】
前枠５ｃの下方には、上皿１２と下皿１３が一体に形成されている。下皿１３の右側には発射ハンドル１８が取り付けられており、該発射ハンドル１８を時計回りに回動操作することによって発射装置（図示省略）が稼動して、上皿１２から供給された遊技球が遊技盤８に向けて発射される。
【００２５】
下皿１３の左側には、遊技者が操作可能な位置決め用ボタン１４が備えられており、遊技が行われていない期間に該位置決め用ボタン１４を操作することで、移動可能始動口１１０の位置が変化する（詳細は後述する）。
【００２６】
また、このパチンコ機１はいわゆるＣＲ機であって、プリペイドカードの読み書き等を行うためのプリペイドカードユニット（ＣＲユニット）５ａが付属しており、パチンコ機１には、貸出ボタン１６、精算ボタン１７及び精算表示装置１５を有するＣＲ精算表示装置が備わっている。
【００２７】
また、パチンコ機１の裏側は、前述した遊技盤８を脱着可能に取り付ける内枠３が前述した外枠２１に収納されている。この内枠３には、上方から、球タンク、タンクレール及び払出装置が設けられている。この構成により、払出制御装置は、遊技盤８上の入賞口に遊技球の入賞があれば、球タンクから、タンクレールを介して、所定個数の遊技球を前述した上皿１２に排出することができる。
【００２８】
また、パチンコ機１の裏側には、図３に記載の主制御装置５０、払出制御装置５１、演出図柄制御装置５４ａ、サブ統合装置５３、発射制御装置５２、電源基板が設けられている。なお、演出図柄制御装置５４ａ、サブ統合装置５３がサブ制御装置に該当する。
【００２９】
主制御装置５０，演出図柄制御装置５４ａ，サブ統合装置５３は遊技盤８に設けられており、払出制御装置５１，発射制御装置５２，電源基板が内枠３に設けられている。また、発射制御装置５２は払出制御装置５１の下に設けられている。
【００３０】
また、球タンクの右側には、外部接続端子６１が設けられており、この外部接続端子６１より、遊技状態や遊技結果を示す信号が図示しないホールコンピュータに送られる。
図２に示すように遊技盤８には、公知のガイドレール２５ａ，２５ｂによって囲まれた略円形の遊技領域２６が設けられている。この遊技領域２６には多数の遊技釘が打ち付けられている。
【００３１】
遊技領域２６のほぼ中央部には、センターケース２８が配されている。センターケース２８は、公知のものと同様に、ステージ、演出図柄表示装置５４ｂ（液晶表示装置であり演出図柄を表示する。）の画面を臨ませる窓２８ａ等を備えている。
【００３２】
窓２８ａの上側には７セグメントの特図表示装置２９と４個のＬＥＤからなる特図保留数表示装置２９ａが設置されている。
センターケース２８の下方には、遊技者の操作により配置が変化する移動可能始動口１１０が設けられた始動口領域１００が配置されている。この移動可能始動口１１０は、いわゆるチャッカーであり、常時入球可能である。
【００３３】
始動口領域１００の下方にはアタッカー式の大入賞口３３が配置され、その下方にはアウト穴３４が設けられている。また、始動口領域１００の両側には、一般入賞口（図示なし）がガイドレール２５ｂに沿うように設けられている。この一般入賞口は、常時、入球率が変化しない普通入賞口である。
【００３４】
（２）電気的構成について
このパチンコ機１の電気的構成は、図３のブロック図に示すとおり、主制御装置５０を中心にして構成されている。なお、このブロック図には、単に信号を中継するいわゆる中継基板及び電源基板等は記載していない。また、詳細の図示は省略するが、主制御装置５０、払出制御装置５１、演出図柄制御装置５４ａ、サブ統合装置５３のいずれもＣＰＵ、ＲＯＭ、ＲＡＭ、入力ポート、出力ポート等を備えているが、本実施形態では、発射制御装置５２、電源基板にはＣＰＵ、ＲＯＭ、ＲＡＭは設けられていない。しかし、これに限るわけではなく、発射制御装置５２にＣＰＵ、ＲＯＭ、ＲＡＭ等を設けてもよい。
【００３５】
主制御装置５０には、移動可能始動口１１０に入球した遊技球を検出する特図始動ＳＷ１１０ａ、大入賞口３３に入球した遊技球を計数するためのカウントＳＷ３３ａ、一般入賞口に入球した遊技球を検出する一般入賞口ＳＷ３５等の検出信号が入力される。
【００３６】
主制御装置５０は搭載しているプログラムに従って動作して、上述の検出信号などに基づいて遊技の進行に関わる各種のコマンドを生成して払出制御装置５１及びサブ統合装置５３に出力する。
【００３７】
また、主制御装置５０は、図柄表示装置中継端子板６４を介して接続されている特図表示装置２９の表示や、特図保留数表示装置２９ａの点灯を制御する。
さらに、主制御装置５０は、大入賞口ソレノイド３３ｂを制御することで大入賞口３３の開閉を制御する。
【００３８】
主制御装置５０からの出力信号は試験信号端子にも出力されほか、図柄変動や大当り等の管理用の信号が外部接続端子６１に出力されてホールメインコンピュータに送られる。
主制御装置５０と払出制御装置５１とは双方向通信が可能である。
【００３９】
また、主制御装置５０には、始動口領域１００に設けられた移動可能始動口１１０の位置を決めるための位置決め用ＳＷ１４ａと位置決め用モータ１４０が接続されている。そして、遊技者が位置決め用ＳＷ１４ａを操作した際には、その信号が主制御装置５０に入力され、主制御装置５０は、該信号に応じて位置決め用モータ１４０を制御して移動可能始動口１１０の位置を設定する。
【００４０】
また、主制御装置５０は、発射制御装置５２に対し、遊技球の発射を禁止する発射禁止信号を出力する。
払出制御装置５１は、主制御装置５０から送られてくるコマンドに応じて払出モータ２４ａを稼働させて賞球を払い出させる。本実施形態においては、賞球として払い出される遊技球を計数するための払出ＳＷ２４ｂの検出信号は払出制御装置５１に入力され、払出制御装置５１で賞球の計数が行われる構成を用いる。この他にも主制御装置５０と払出制御装置５１に払出ＳＷ２４ｂの検出信号が入力され、主制御装置５０と払出制御装置５１の双方で賞球の計数を行う構成を用いることも考えられる。
【００４１】
なお、払出制御装置５１は、前面枠閉鎖ＳＷ３８、意匠枠閉鎖ＳＷ３９、球切れＳＷ２３ａ、払出ＳＷ２４ｂ、満杯ＳＷ１３ａからの信号が入力され、満杯ＳＷ１３ａにより下皿１３が満タンであることを示す信号が入力された場合及び球切れＳＷ２３ａにより球タンクに遊技球が少ないあるいは無いことを示す信号が入力されると払出モータ２４ａを停止させ、賞球の払出動作を停止させる。また、満杯ＳＷ１３ａ、球切れＳＷ２３ａも、その状態が解消されるまで信号を出力し続ける構成になっており、払出制御装置５１は、その信号が出力されなくなることに起因して払出モータ２４ａの駆動を再開させる。
【００４２】
また、払出制御装置５１はＣＲユニット端子板６０を介してＣＲユニット５ａと交信することで払出モータ２４ａを作動させ、貸し球を排出する。払出された貸し球は払出ＳＷ２４ｂに検出され、検出信号は払出制御装置５１に入力される。また、ＣＲユニット端子板６０は精算表示装置１５とも双方向通信可能に接続されており、精算表示装置１５には、遊技球の貸出しを要求するための球貸ＳＷ１６ａ、精算を要求するための精算ＳＷ１７ａが設けられている。
【００４３】
また、払出制御装置５１は、外部接続端子６１を介して賞球に関する情報、枠（内枠３、前枠５ｃ）の開閉状態を示す情報などをホールコンピュータに送信するほか、発射制御装置５２に対して発射停止信号を送信する。
【００４４】
なお本実施形態では遊技球を払出す構成であるが、入賞等に応じて発生した賞球を払い出さずに記憶する封入式の構成にしても良い。
発射制御装置５２は発射モータ３６を制御して、遊技球を遊技領域２６に遊技球を発射させる。
【００４５】
なお、発射制御装置５２には払出制御装置５１以外に発射ハンドル１８からの回動量信号、タッチＳＷ２０ａからのタッチ信号、発射停止ＳＷ１９ａから発射停止信号が入力される。また、主制御装置５０から、遊技球の発射禁止信号が入力される。
【００４６】
回動量信号は、遊技者が発射ハンドル１８を操作することで出力され、タッチ信号は遊技者が発射ハンドル１８を触ることで出力され、発射停止スイッチ信号は、遊技者が発射停止ＳＷ１９ａを押すことで出力される。なお、タッチ信号が発射制御装置５２に入力されていなければ、遊技球は発射できないほか、発射停止スイッチ信号が入力されているときや、発射禁止信号が入力されているときには、遊技者が発射ハンドル１８を触っていても遊技球は発射出来ないようになっている。また、発射制御装置５２は、回動量信号，タッチ信号，発射停止信号を主制御装置５０に出力する。
【００４７】
サブ統合装置５３はサブ制御装置に該当し、主制御装置５０から送信されてくるデータ及びコマンドを受信し、それらを演出表示制御用、音制御用及びランプ制御用のデータに振り分けて、演出表示制御用のコマンド等は演出図柄制御装置５４ａに送信し、音制御用及びランプ制御用は自身に含まれている各制御部位（音声制御装置及びランプ制御装置としての機能部）に分配する。そして、音声制御装置としての機能部は、音声制御用のデータに基づいて音ＬＳＩを作動させることによってスピーカ１１からの音声出力を制御し、ランプ制御装置としての機能部はランプ制御用のデータに基づいてランプドライバを作動させることによって各種ＬＥＤ、ランプ３７を制御する。
【００４８】
サブ統合装置５３と演出図柄制御装置５４ａとは双方向通信が可能である。
演出図柄制御装置５４ａは、サブ統合装置５３から受信したデータ及びコマンド（共に主制御装置５０から送信されてきたものとサブ統合装置５３が生成したものとがある）に基づいて演出図柄表示装置５４ｂを制御して、演出図柄等の演出画像を表示させる。
【００４９】
（３）始動口領域の構成について
次に、遊技盤８の遊技領域２６に設けられたセンターケース２８の下方に位置する始動口領域１００の構成について、図４（ａ）に記載の説明図を用いて説明する。
【００５０】
始動口領域１００には、遊技領域２６に水平方向に形成されたスロット１２０と、該スロット１２０を挿通する支持部材（図示なし）により支持され、該支持部材が水平方向に移動することで、該スロット１２０の一方の端部から他方の端部に移動する移動可能始動口１１０が設けられている。
【００５１】
なお、支持部材の内部には、移動可能始動口１１０に入球した遊技球の移動経路が形成されており、移動可能始動口１１０に入球した遊技球は、該移動経路を通ってパチンコ機１の内部に誘導される。
【００５２】
また、スロット１２０の奥には、支持部材を移動させるための位置決め用モータ１４０が設けられている。
そして、移動可能始動口１１０は、スロット１２０における、遊技盤８に向かって右端或いは左端に位置し、主制御装置５０は、遊技が行われていない時に位置決め用ボタン１４の押下を検知すると、位置決め用モータ１４０を作動させ、移動可能始動口１１０をスロット１２０の一方の端部から他方の端部に移動させる。
【００５３】
また、スロット１２０の各端部の上方には、該端部に移動可能始動口１１０が位置する場合において、該移動可能始動口１１０への遊技球の入球確率を制御するための調整釘１３０ａ，１３０ｂが設けられている。
【００５４】
そして、各調整釘１３０ａ，１３０ｂは、略水平方向に沿って遊技盤に植設された少なくとも２本の遊技釘１３１〜１３４から構成されており、この２本の遊技釘の間隔は、１１．２〜１２．８ｍｍとなっている。また、各調整釘１３０ａ，１３０ｂは、スロット１２０の中央寄りに位置する遊技釘１３２，１３３同士の間隔が２２ｍｍとなるよう配置されており、この間隔は、遊技球の直径（１１ｍｍ）の２倍の長さとなっている。
【００５５】
なお、調整釘１３０ａ，１３０ｂを構成する２本の遊技釘の間隔はこれに限定されることはない。また、各調整釘１３０ａ，１３０ｂの配置に関しても、これに限定されることは無く、スロット１２０の中央寄りに位置する遊技釘同士の間隔が２２ｍｍ未満、或いは２２ｍｍより長くても良い。
【００５６】
［動作の説明］
次に、第一実施形態のパチンコ機１の動作について説明する。
（１）概要について
第一実施形態のパチンコ機１では、主制御装置５０は、移動可能始動口１１０への遊技球の入球を検知すると、大当り判定用乱数を含む各種乱数を抽出して保留記憶すると共に、保留記憶した大当り判定用乱数を読み出して大当り抽選を行う。そして、大当り抽選に当選した際には、例えば１５ラウンドの特別遊技を行い、遊技者に対し遊技価値を付与する。
【００５７】
また、大当り抽選の際には、主制御装置５０は、サブ統合装置５３に対してコマンドを送信し、演出図柄制御装置５４ａに、演出図柄の変動表示等により大当り抽選の結果を報知する大当り演出を行わせる。
【００５８】
（２）移動可能始動口の移動について
次に、遊技者の操作に応じて移動可能始動口１１０を移動させる始動口移動処理について説明する。なお、本処理は、主制御装置５０により定期的に実行される処理である。
【００５９】
Ｓ２０５では、主制御装置５０は、遊技中であるか否かを判定し、肯定判定の場合には（Ｓ２０５：Ｙｅｓ）、本処理を終了すると共に、否定判定の場合には（Ｓ２０５：Ｎｏ）、Ｓ２１０に処理を移行する。
【００６０】
具体的には、主制御装置５０は、発射制御装置５２から遊技球が発射されておらず、且つ、特別遊技の実行中でない場合には、遊技中でないと判定する。なお、遊技球が発射されているかどうかの判断については、発射制御装置５２からのタッチ信号に基づき遊技者が発射ハンドル１８に触れているかどうかを判定し、発射ハンドル１８に触れていない場合には、遊技球が発射されていないとみなしても良い。また、発射制御装置５２からの回動量信号や発射停止信号に基づき、遊技球を発射させる操作がなされているかどうかを判定し、該操作がなされていない場合には遊技球が発射されていないものとみなしても良い。
【００６１】
Ｓ２１０では、主制御装置５０は、位置決め用ＳＷ１４ａからの信号に基づき、位置決め用ボタン１４の押下の有無を検知する。そして、位置決め用ボタン１４の押下が検知された場合には（Ｓ２１０：Ｙｅｓ）、Ｓ２１５に処理を移行し、押下が検知されなかった場合には（Ｓ２１０：Ｎｏ）、本処理を終了する。
【００６２】
Ｓ２１５では、主制御装置５０は、位置決め用モータ１４０を作動させ、移動可能始動口１１０の位置を移動させる。具体的には、移動可能始動口１１０が、スロット１２０の右端に位置する場合には、移動可能始動口１１０を、スロット１２０の左端に移動させる。また、移動可能始動口１１０がスロット１２０の左端に位置する場合には、移動可能始動口１１０をスロット１２０の右端に移動させる。そして、Ｓ２２０に処理を移行する。
【００６３】
Ｓ２２０では、主制御装置５０は、移動可能始動口１１０の移動がなされている間、発射制御装置５２に対し遊技球の発射を禁止する発射禁止信号を出力し、本処理を終了する。
【００６４】
［効果］
第一実施形態のパチンコ機１によれば、遊技者の操作に応じて、移動可能始動口１１０をスロット１２０の右端或いは左端のうちのいずれかに配置することができる。このため、１台のパチンコ機で、始動口の位置が異なる複数のパチンコ機での遊技を行うことが可能となり、遊技のバリエーションを増やすことができる。
【００６５】
また、遊技が行われていない場合に限り、移動可能始動口１１０の配置位置を変更可能となっているため、遊技が行われている間は、移動可能始動口１１０は必ずスロット１２０の右端或いは左端に配置され、また、移動可能始動口１１０がスロット１２０を移動している最中に、当該移動可能始動口１１０に遊技球が入球することは無い。このため、移動可能始動口１１０がスロット１２０上のいずれの位置にも自由に配置可能である場合に比べ、移動可能始動口１１０の配置パターンの数を大幅に減らすことができ、移動可能始動口１１０への入球確率の調整や検査の手間を抑えることができる。
【００６６】
したがって、第一実施形態のパチンコ機１によれば、移動可能始動口１１０への入球確率の調整や検査の手間を抑えつつ、遊技者により該移動可能始動口１１０の位置を変更させることが可能となる。
【００６７】
また、二つの調整釘１３０ａ，１３０ｂは、２２ｍｍ（直径１１ｍｍの遊技球２個分）の間隔を空けて配置されている。このため、一方の調整釘が、他方の調整釘に対応するスロット１２０の端部に配置された移動可能始動口１１０への入球確率に影響を与えてしまうことを防ぐことができ、スロット１２０の各端部に配置された移動可能始動口１１０の入球確率の調整が容易となる。
【００６８】
［第二実施形態］
次に、第二実施形態のパチンコ機について説明する。第二実施形態のパチンコ機は、第一実施形態のパチンコ機１と類似した構成を有しているが、始動口領域等の構成が相違しており、以下では、この相違点を中心に説明する。
【００６９】
［構成の説明］
（１）全体の構成について
図５には、第二実施形態のパチンコ機の遊技盤３０８が記載されている。この遊技盤３０８は、第一実施形態と同様のガイドレール３２５ａ，３２５ｂ、遊技領域３２６、センターケース３２８、特図保留数表示装置３２９、大入賞口３３３、及びアウト穴３３４等が設けられている。
【００７０】
また、第一実施形態と同様に、センターケース３２８の下方には、遊技者の操作により配置が変化する移動可能始動口４１０が設けられている始動口領域４００が配置されている。第二実施形態では、この移動可能始動口４１０は、羽根４１１が開閉する電動チューリップ（普通電動役物）として構成されており、羽根４１１が開放することで、遊技球が移動可能始動口４１０に入球容易となる。
【００７１】
また、センターケース２８の両側には、それぞれ、普通図柄作動ゲート３４２が配置されており、遊技球が普通図柄作動ゲート３４２を通過すると行われる普通図柄抽選で当り、演出図柄表示装置（図示なし）に当りの普通図柄が確定表示されると、移動可能始動口４１０の羽根４１１が開放されて入球容易になる。
【００７２】
（２）電気的構成について
第二実施形態のパチンコ機は、第一実施形態のパチンコ機１とほぼ同様の構成を有しているが、主制御装置に、普通図柄作動ゲート３４２に進入した遊技球を検出する普通図柄作動ＳＷと、移動可能始動口４１０の羽根４１１の開閉を制御する普通役物ソレノイドが接続されている点で異なる。
【００７３】
（３）始動口領域の構成について
次に、第二実施形態の始動口領域４００の構成について、図６に記載の説明図を用いて説明する。
【００７４】
始動口領域４００には、第一実施形態と同様のスロット４２０と、該スロット４２０を挿通する第一実施形態と同様の支持部材（図示なし）により支持され、該支持部材が水平方向に移動することで、該スロット４２０の一方の端部から他方の端部に移動する移動可能始動口４１０が設けられている。
【００７５】
また、スロット４２０の奥には、支持部材を移動させるための位置決め用モータ（図示無し）が設けられている。
そして、移動可能始動口４１０は、スロット４２０における、遊技盤３０８に向かって右端或いは左端に位置し、主制御装置は、遊技が行われていない時に位置決め用ボタンの押下を検知すると、位置決め用モータを作動させ、移動可能始動口４１０をスロット４２０の一方の端部から他方の端部に移動させる。
【００７６】
また、スロット４２０の各端部の上方には、該端部に移動可能始動口４１０が位置する場合において、該移動可能始動口４１０への遊技球の入球確率を制御するための調整釘４３０ａ，４３０ｂが設けられている。
【００７７】
そして、各調整釘４３０ａ，４３０ｂは、略水平方向に沿って遊技盤に植設された少なくとも２本の遊技釘４３１〜４３４から構成されており、この２本の遊技釘の間隔は、１１．２〜１２．８ｍｍとなっている。また、各調整釘４３０ａ，４３０ｂは、スロット４２０の中央寄りに位置する遊技釘４３２，４３３同士の間隔が５４〜５５ｍｍとなるよう配置されており、この間隔は、遊技球の直径（１１ｍｍ）の約５倍の長さとなっている。また、移動可能始動口４１０の羽根４１１が最大限開放された場合における、スロット４２０の中央寄りに位置する羽根４１１の先端と、移動可能始動口４１０の配置位置に対応する調整釘４３０における、スロット４２０の中央寄りに位置する遊技釘との水平方向の間隔は、１６ｍｍとなっている。
【００７８】
なお、調整釘４３０ａ，４３０ｂを構成する２本の遊技釘の間隔はこれに限定されることはない。また、各調整釘４３０ａ，４３０ｂの配置に関しても、これに限定されることは無く、スロット４２０の中央寄りに位置する遊技釘４３２，４３３同士の間隔が５４ｍｍ未満、或いは５５ｍｍより長くても良い。また、羽根４１１が最大限開放された場合における、スロット４２０の中央寄りに位置する羽根４１１の先端と、スロット４２０の中央寄りに位置する調整釘４３０の遊技釘との水平方向の間隔に関しても、１６ｍｍ未満、或いは１６ｍｍ以上となっていても良い。
【００７９】
［動作の説明］
次に、第二実施形態のパチンコ機の動作について説明する。
第二実施形態のパチンコ機では、主制御装置は、第一実施形態と同様にして、移動可能始動口４１０への遊技球の入球に起因して大当り抽選や大当り演出を行うと共に、大当り抽選に当選した際には、例えば１５ラウンドの特別遊技を行い、遊技者に対し遊技価値を付与する。
【００８０】
また、主制御装置は、遊技球が普通図柄作動ゲート３４２を通過すると、普通図柄抽選を行い、普通図柄抽選に当選した際には、一定期間にわたり移動可能始動口４１０を開放する。なお、普通図柄抽選における保留数の表示と、普通図柄の変動表示は、主制御装置から送信されたコマンドに基づき演出図柄表示装置により行われる。
【００８１】
また、第二実施形態のパチンコ機は、第一実施形態と同様の始動口移動処理を行うことで、遊技者の操作に応じて移動可能始動口４１０の配置を変更する。
［効果］
第二実施形態のパチンコ機１によれば、第一実施形態と同様に、移動可能始動口４１０への入球確率の調整や検査の手間を抑えつつ、遊技者により該移動可能始動口４１０の位置を変更させることが可能となる。
【００８２】
また、二つの調整釘４３０ａ，４３０ｂは、５４〜５５ｍｍ（直径１１ｍｍの遊技球約５個分）の間隔を空けて配置されている。このため、移動可能始動口４１０の羽根４１１が開放された場合であっても、一方の調整釘が、他方の調整釘に対応するスロット４２０の端部に配置された移動可能始動口４１０への入球確率に影響を与えてしまうことを防ぐことができる。したがって、スロット４２０の各端部に配置された移動可能始動口４１０の入球確率の調整が容易となる。
【００８３】
［他の実施形態］
（１）第一，第二実施形態では始動口が移動可能に構成されているが、同様にして、大入賞口や一般入賞口等を移動可能としても良い。また、第一，第二実施形態では、いわゆるデジパチを例に挙げて説明したが、言うまでも無く、本発明は、権利モノや羽根モノ等といったタイプのパチンコ機にも適用可能であり、このようなタイプのパチンコ機において、各種入球口等を移動可能としても良い。このような場合であっても、同様の効果を得ることができる。
【００８４】
（２）また、第一，第二実施形態では、移動可能始動口をスロットの右端と左端の二箇所に配置可能とたが、例えば、スロットの中央にさらに配置位置を設けると共に、該配置位置の上方に調整釘を設け、位置決め用ボタンの操作に応じて移動可能始動口をこれらの配置位置のいずれかに配置可能としても良い。このようにして三つ以上の配置位置を設けた場合であっても、同様の効果を得ることができる。
【００８５】
（３）また、第一，第二実施形態では、移動可能始動口の配置位置を変化させるスロットは水平方向に沿って形成されているものとしたが、スロットは、水平方向に対し傾いた状態で形成されていても良い。このような場合であっても、同様の効果を得ることができる。
【００８６】
（４）さらに、パチンコ機１の裏面に位置決め用ボタン１４を設け、例えば、内枠３が開放された場合のみ、位置決め用ボタン１４を操作可能としても良い。こうすることにより、遊技者ではなくパチンコ店の店員が移動可能入球口の配置位置を変更可能となり、パチンコ機１が設置されたパチンコ店は、１台のパチンコ機１で、獲得される遊技球の数の期待値が異なる２台のパチンコ機を提供することができる。
【００８７】
また、パチンコ機１からの賞球の払い出しが完了していない状態で移動可能始動口の配置位置が変更されると、配置位置の変更前に獲得された遊技球により、配置位置の変更後の遊技が行われてしまう。これにより、ある台で獲得した遊技球を他の台に移して遊技を行う台移動が行われた場合と同様の事態となり、予め設定された期待値がずれてしまうおそれがある。
【００８８】
そこで、パチンコ機１の電源投入時にＲＡＭクリアが行われた場合（すなわち、パチンコ機１の電源スイッチとＲＡＭクリアボタンが同時に操作された場合）に、位置決め用ボタン１４の操作に応じて移動可能入球口の配置位置を変更しても良い。換言すれば、電源投入時にＲＡＭクリアが行われた場合のみ実行される処理により、移動可能始動口の配置を変更可能としても良い。
【００８９】
これにより、賞球の払い出しが完了していない状態で移動可能始動口の配置位置が変更され、予め設定された期待値がずれてしまうことを防ぐことができる。また、パチンコ店は、初期状態から期待値の異なる遊技を提供することができる。
【００９０】
［特許請求の範囲との対応］
上記実施形態の説明で用いた用語と、特許請求の範囲の記載に用いた用語との対応を示す。
【００９１】
位置決め用ボタンが受付手段に、スロットが移動区間に、スロットの右端，左端が配置位置に、移動可能始動口が移動可能入球口に、主制御装置及び位置決め用モータが移動手段に、調整釘が調整手段に相当する。
【符号の説明】
【００９２】
１…パチンコ機、３…内枠、５ａ…ＣＲユニット、５ｂ…ヒンジ、５ｃ…前枠、８…遊技盤、９…板ガラス、１１…スピーカ、１２…上皿、１３…下皿、１３ａ…満杯ＳＷ、１４…位置決め用ボタン、１４ａ…位置決め用ＳＷ、１５…精算表示装置、１６…貸出ボタン、１６ａ…球貸ＳＷ、１７…精算ボタン、１７ａ…精算ＳＷ、１８…発射ハンドル、１９ａ…発射停止ＳＷ、２０ａ…タッチＳＷ、２１…外枠、２３ａ…球切れＳＷ、２４ａ…払出モータ、２４ｂ…払出ＳＷ、２５…ガイドレール、２６…遊技領域、２７…遊技釘、２８…センターケース、２８ａ…窓、２９…特図表示装置、２９ａ…特図保留数表示装置、３３…大入賞口、３３ａ…カウントＳＷ、３３ｂ…大入賞口ソレノイド、３４…アウト穴、３５…一般入賞口ＳＷ、３６…発射モータ、３７…ランプ、３８…前面枠閉鎖ＳＷ、３９…意匠枠閉鎖ＳＷ、５０…主制御装置、５１…払出制御装置、５２…発射制御装置、５３…サブ統合装置、５４ａ…演出図柄制御装置、５４ｂ…演出図柄表示装置、６０…ＣＲユニット端子板、６１…外部接続端子、６４…図柄表示装置中継端子板、１００…始動口領域、１１０…移動可能始動口、１１０ａ…特図始動ＳＷ、１２０…スロット、１３０…調整釘、１４０…位置決め用モータ、３０８…遊技盤、３２５…ガイドレール、３２６…遊技領域、３２８…センターケース、３２９…特図保留数表示装置、３３３…大入賞口、３３４…アウト穴、３４２…普通図柄作動ゲート、４００…始動口領域、４１０…移動可能始動口、４１１…羽根、４２０…スロット、４３０…調整釘。
【図１】
2012075718.tif 000003
【図２】
2012075718.tif 000004
【図３】
2012075718.tif 000005
【図４】
2012075718.tif 000006
【図５】
2012075718.tif 000007
【図６】
2012075718.tif 000008